(57)【要約】  生理学的監視デバイス（１０）は、対象者の耳（１２）の背後に嵌合すべく形状化されたデバイス・ハウジング（１１）と、上記耳の背後の箇所にて上記対象者の生理学的特性を検知すべく上記デバイス・ハウジングに対して取付けられたセンサ（１８、２８、３０）と、を備える。イヤホン・スピーカ（１６）は、上記デバイス・ハウジングから上記対象者の耳孔に向けて延在すると共に、上記生理学的特性に応じて上記対象者に対して可聴的通信を提供する。
2009502298.tif 000002
【特許請求の範囲】
【請求項１】
対象者の耳の背後に嵌合すべく形状化されたデバイス・ハウジングと、
上記耳の背後の箇所にて上記対象者の生理学的特性を検知すべく上記デバイス・ハウジングに対して取付けられたセンサと、
上記デバイス・ハウジングから上記対象者の耳孔に向けて延在すると共に、上記生理学的特性に応じて上記対象者に対して可聴的通信を提供すべく作用するイヤホン・スピーカと、
を備えて成る生理学的監視デバイス。
【請求項２】
前記箇所は、前記対象者の頭皮および該対象者の耳翼の少なくとも一方上である、請求項１に記載のデバイス。
【請求項３】
前記センサは前記対象者の前記頭皮および前記耳翼の両方の上で前記生理学的特性を検知すべく作用する、請求項２に記載のデバイス。
【請求項４】
前記センサは、動脈血液流の特性を検知し得る光学的プレチスモグラフ（ＰＰＧ）プローブを備えて成る、請求項１から請求項３までのいずれか一項に記載のデバイス。
【請求項５】
動脈血液流の前記特性は、心拍数、血中酸素飽和量（ＳｐＯ2）および呼吸速度の内の少なくともひとつを含む、請求項４に記載のデバイス。
【請求項６】
前記センサは、皮膚の特性を検知すべく作用する電気皮膚反応（ＧＳＲ）センサを備えて成る、請求項１から請求項３までのいずれか一項に記載のデバイス。
【請求項７】
前記ＧＳＲセンサは皮膚に接触すべく位置決めされる２個の電極を備えて成る、請求項６に記載のデバイス。
【請求項８】
前記デバイス・ハウジング内に収容された制御ユニットであって、前記生理学的特性に応じて前記対象者のストレスのレベルを計算すべく作用する制御ユニットを備えて成る、請求項１から請求項３までのいずれか一項に記載のデバイス。
【請求項９】
前記デバイス・ハウジング内に収容された送信器であって、前記生理学的特性を表す信号を外部受信器に対して送信すべく作用する送信器を備えて成る、請求項１から請求項３までのいずれか一項に記載のデバイス。
【請求項１０】
前記イヤホン・スピーカは、音楽および作業関連通信の少なくとも一方を再生すべく作用する、請求項１から請求項３までのいずれか一項に記載のデバイス。
【請求項１１】
生理学的監視デバイスであって、
対象者の耳の背後に嵌合すべく形状化されたデバイス・ハウジングと、
上記耳の背後の箇所にて上記対象者の生理学的特性を検知すべく上記デバイス・ハウジングに対して取付けられたセンサと、
上記デバイス・ハウジングから上記対象者の耳孔に向けて延在すると共に、上記対象者に対して可聴的通信を提供すべく作用するイヤホン・スピーカと、
上記デバイス・ハウジング内に収容された送信器であって、上記生理学的特性を表す信号を送信すべく作用する送信器と、
を備えて成るという生理学的監視デバイスと、
上記生理学的監視デバイスとは別体的であると共に、上記信号を受信して処理すべく作用する受信デバイスと、
を備えて成る生理学的パラメータを監視するシステム。
【請求項１２】
前記受信デバイスは前記生理学的特性の表示を、通信ネットワークを介して監視センターに対して送信すべく作用する、請求項１１に記載のシステム。
【請求項１３】
前記受信デバイスは、前記イヤホン・スピーカにより再生されるべき聴覚的信号を送信すべく作用する、請求項１１に記載のシステム。
【請求項１４】
前記生理学的特性の表示はストレスの指標である、請求項１１または請求項１２に記載のシステム。
【請求項１５】
前記生理学的監視デバイスは、作業関連通信中に前記対象者により使用される通信ヘッドセット装置内に含まれる、請求項１１または請求項１２に記載のシステム。
【請求項１６】
デバイス・ハウジングに対して取付けられたセンサが対象者の耳の背後の箇所に位置決めされる如き様式で、生理学的監視デバイスを上記対象者の上記耳の背後に嵌合する段階と、
上記箇所にて上記センサを使用して生理学的特性を検知する段階と、
上記生理学的特性に応じ、上記ハウジングに対して取付けられると共に上記対象者の耳孔に向けて延在するイヤホン・スピーカを通して可聴的通信を提供する段階と、
を備えて成る、生理学的パラメータを監視する方法。
【請求項１７】
前記箇所は、前記対象者の頭皮および該対象者の耳翼の少なくとも一方上である、請求項１６に記載の方法。
【請求項１８】
前記センサは前記対象者の前記頭皮および前記耳翼の両方の上で前記生理学的特性を検知すべく作用する、請求項１７に記載の方法。
【請求項１９】
前記センサは光学的プレチスモグラフ（ＰＰＧ）プローブを備えて成り、且つ、前記生理学的特性を検知する段階は、上記PPGプローブを用いて動脈血液流の特性を検知する段階を含む、請求項１６から請求項１８までのいずれか一項に記載の方法。
【請求項２０】
前記センサは電気皮膚反応（ＧＳＲ）センサから成り、上記ＧＳＲセンサは２個の電極を備え、且つ、前記生理学的特性を検知する段階は、上記２個の電極間に電圧を印加して前記頭皮を通り生成された電流を測定する段階を含む、請求項１６から請求項１８までのいずれか一項に記載の方法。
【請求項２１】
前記生理学的特性に応じて前記対象者のストレスのレベルを計算する段階を含む、請求項１６から請求項１８までのいずれか一項に記載の方法。
【請求項２２】
前記生理学的特性を表す信号を前記生理学的監視デバイスから外部受信デバイスへと送信する段階を含む、請求項１６から請求項１８までのいずれか一項に記載の方法。
【請求項２３】
前記生理学的特性の表示を前記受信デバイスから通信ネットワークを介して監視センターへと送信する段階を含む、請求項２２に記載の方法。
【請求項２４】
前記イヤホン・スピーカから、音楽および作業関連通信の少なくとも一方を再生する段階を含む、請求項１６から請求項１８までのいずれか一項に記載の方法。
【発明の詳細な説明】
【技術分野】
【０００１】
関連出願に対する相互参照
本出願は、2005年7月28日に出願されると共に言及したことにより本明細書中に援用される米国仮特許出願第60/703,557号の特典を主張する。
【０００２】
発明の分野
本発明は概略的に保健医療に関し、詳細には、対象者の健康を監視する方法およびシステムに関する。
【背景技術】
【０００３】
物理的および生理学的なストレスの２種類の公知の指標は、電気皮膚反応(GSR)および心拍数である。
【０００４】
（皮膚電気反応、皮膚コンダクタンス反応または皮膚コンダクタンス・レベルとしても知られる）ＧＳＲは、対象者の皮膚の導電率の尺度である。ＧＳＲは、皮膚に対して固着された２個の電極間に小さな電圧を印加し、生成された電流を測定することにより決定され得る。多くの場合にGSRは、対象者の指の先端にて、または、掌の上で測定される。臨床的な場面において使用されるGSRセンサの例は、ペンシルバニア州、アレンタウンのクールボーン・インスツルメント社（Coulbourne Instruments）により販売されている型式V71-23の絶縁式皮膚コンダクタンス・カプラである。
【０００５】
心拍数は、パルス酸素測定法により血中酸素濃度の変動を測定するためにも使用され得るという光学的プレチスモグラフ法（ＰＰＧ）により決定され得る。酸素濃度計の読取りは概略的に、血中酸素飽和量（ＳｐＯ2）に関して為される。ＰＰＧプローブは、動脈血を透過された又はそれから反射された光を測定する。透過的PPGにおいて光は概略的に、身体の小径の外肢を透過される。たとえば、言及したことによりその開示内容が本明細書中に援用されるというトースに対する米国特許第4,301,808号は、透過的ＰＰＧを使用して身体運動の間に対象者の脈拍数を測定することを記述している。トースは、ＰＰＧ読取りは、耳、鼻の中隔、または、人差し指と親指との間の皮膜などの外肢を通して為されるべきことを述べている。
【０００６】
反射的パルス酸素測定法は、皮膚の表面の下方における動脈から反射された光を測定する。言及したことによりその開示内容が本明細書中に援用されるというサルーシに対する米国特許第6,553,242号は反射的パルス酸素測定法を使用することで、睡眠している幼児の心拍数、並びに、無呼吸の徴侯を測定することを記述している。サルーシは、リストバンド、アンクルバンド、ソックス、および、対象者の額にて測定を行うヘッドバンドなどの、酸素測定センサを対象者の身体に固着する幾つかの手段を特定している。
【０００７】
言及したことによりその開示内容が本明細書中に援用されるというタカハシ等に対する米国特許第6,783,501号は、パルス酸素測定法を使用することで、運動の間において頭部上の種々の箇所から心拍数を測定することを記述している。タカハシにより記述された測定箇所としては、額、および、耳孔が挙げられる。運動者に対する心拍数のフィードバックは、イヤホンを介して提供され得る聴覚的表示、または、運動者により装着された眼鏡に対して取付けられた画面上に提供され得る視覚的表示により提供され得る。
【０００８】
言及したことによりその開示内容が本明細書中に援用されるチュップ等に対する米国特許第6,760,610号は、パルス酸素測定法を使用することで、血液の二酸化炭素濃度の測定と組み合わせて血液酸素化を測定することを記述している。
【０００９】
言及したことによりその開示内容が本明細書中に援用されるチェン等に対する米国特許公開公報第2005/0033131号は、耳たぶ上に掛止された延長部を用いて耳甲介内に酸素測定センサを支持する耳センサ・アセンブリを記述している。
【００１０】
個人の健康を監視する装着可能医療デバイスは、市販されている。たとえばペンシルバニア州、ピッツバーグのボディメディア社（Bodymedia）により販売されている SenseWear （登録商標）アームバンドは、運動の間において身体の動きを記録する加速度計、皮膚温度の変化を検出する温度センサ、および、活動のレベルを測定するＧＳＲセンサを採用している。
【００１１】
従業員の間における心理的ストレスは、従業員の作業効率に関して相当な影響を有し得ると共に、事故、長期欠勤、および、従業員の離職に繋がり得る。www.stress.org/job.htm にて入手可能であると共に言及したことによりその開示内容が本明細書中に援用されるという米国ストレス学会の論文に依れば、職場でのストレスは米国において毎年ほぼ３，０００億ドルだけビジネス・コストを増やしている。当業界において、健康の指標のために職場で従業員を検査することは公知である。たとえば、言及したことによりその開示内容が本明細書中に援用されるポゾス等に対する米国特許第6,352,516号は、キーボードを叩く指の力を測定することにより従業員の疲労を監視する方法を記述している。
【発明の開示】
【課題を解決するための手段】
【００１２】
本発明の各実施例は、耳の背後の箇所から一種類以上の生理学的パラメータを監視する装置および方法を提供する。イヤホンに対して取付けられて耳の背後に位置決めされたセンサは、好都合かつ快適で目立たない様式にて生理学的パラメータを検知すべく構成される。
【００１３】
耳の背後の頭皮における又は耳自体における動脈血に対する光学的プレチスモグラフ法は、心拍数および／または酸素飽和量を決定すべく使用され得る。耳の背後の箇所からは、電気皮膚反応（ＧＳＲ）の測定も行われ得る。
【００１４】
上記生理学的パラメータは、監視されつつある個人が作業もしくは余暇に関連する活動の如き非医療的な場面において活動を行う間、ストレスおよび他の健康指標を決定すべく使用され得る。これらの指標は、その個人に対し、且つ／又は、遠隔的に基盤を置く病院の如き保健医療機関に対して提供され得る。上記センサが取付けられる上記イヤホンは、検知されたパラメータの表示を提供すべく、且つ、使用の便宜を増進する付加的機能を提供すべく利用され得る。
【００１５】
故に、本発明の実施例に依れば、
対象者の耳の背後に嵌合すべく形状化されたデバイス・ハウジングと、
上記耳の背後の箇所にて上記対象者の生理学的特性を検知すべく上記デバイス・ハウジングに対して取付けられたセンサと、
上記デバイス・ハウジングから上記対象者の耳孔に向けて延在すると共に、上記生理学的特性に応じて上記対象者に対して可聴的通信を提供すべく作用するイヤホン・スピーカと、
を含む生理学的監視デバイスが提供される。
【００１６】
上記箇所は、上記対象者の頭皮および該対象者の耳翼の少なくとも一方上であり得ると共に、上記センサは上記頭皮および上記耳翼の両方の上で上記生理学的特性を検知すべく作用し得る。
【００１７】
幾つかの実施例において上記デバイスは、動脈血液流の特性を検知し得る光学的プレチスモグラフ（ＰＰＧ）プローブを含む。動脈血液流の上記特性は、心拍数、血中酸素飽和量（ＳｐＯ2）または呼吸速度を含み得る。
【００１８】
上記デバイスは付加的または代替的に、皮膚の特性を検知すべく作用する電気皮膚反応（ＧＳＲ）センサを含む。上記ＧＳＲセンサは典型的に、皮膚に接触すべく位置決めされる２個の電極を含む。
【００１９】
幾つかの実施例において上記デバイスは、上記デバイス・ハウジング内に収容された制御ユニットであって、上記生理学的特性に応じて上記対象者のストレスのレベルを計算すべく作用する制御ユニットを含む。
【００２０】
上記デバイスはまた、上記デバイス・ハウジング内に収容された送信器であって、上記生理学的特性を表す信号を外部受信器に対して送信すべく作用する送信器も含み得る。
【００２１】
上記イヤホン・スピーカは、音楽および作業関連通信の少なくとも一方を再生すべく作用し得る。
【００２２】
本発明の実施例に依れば、
生理学的監視デバイスであって、
対象者の耳の背後に嵌合すべく形状化されたデバイス・ハウジングと、
上記耳の背後の箇所にて上記対象者の生理学的特性を検知すべく上記デバイス・ハウジングに対して取付けられたセンサと、
上記デバイス・ハウジングから上記対象者の耳孔に向けて延在すると共に、上記対象者に対して可聴的通信を提供すべく作用するイヤホン・スピーカと、
上記デバイス・ハウジング内に収容された送信器であって、上記生理学的特性を表す信号を送信すべく作用する送信器と、
を含むという生理学的監視デバイスと、
上記生理学的監視デバイスとは別体的であると共に、上記信号を受信して処理すべく作用する受信デバイスと、
を含む、生理学的パラメータを監視するシステムが更に提供される。
【００２３】
幾つかの実施例において、上記受信デバイスは上記生理学的特性の表示を、通信ネットワークを介して監視センターに対して送信すべく作用する。
【００２４】
上記受信デバイスは、上記イヤホン・スピーカにより再生されるべき聴覚的信号を送信すべく作用し得る。
【００２５】
更なる実施例において、上記生理学的特性の表示はストレスの指標である。
【００２６】
付加的に上記生理学的監視デバイスは、作業関連通信中に上記対象者により使用される通信ヘッドセット装置内に含まれ得る。
【００２７】
本発明の実施例に依れば、
デバイス・ハウジングに対して取付けられたセンサが対象者の耳の背後の箇所に位置決めされる如き様式で、生理学的監視デバイスを上記耳の背後に嵌合する段階と、
上記耳の背後の上記箇所にて上記センサを使用して上記対象者の生理学的特性を検知する段階と、
上記生理学的特性に応じ、上記ハウジングに対して取付けられると共に上記対象者の耳孔に向けて延在するイヤホン・スピーカを通して可聴的通信を提供する段階と、
を含む、生理学的パラメータを監視する方法も提供される。
【００２８】
開示された各実施例において、上記生理学的特性を検知する段階は、光学的プレチスモグラフ（ＰＰＧ）プローブを用いて動脈血液流の特性を検知する段階を含む。
【００２９】
付加的または代替的に、上記センサは電気皮膚反応（ＧＳＲ）センサを含み、上記ＧＳＲセンサは２個の電極を含み、且つ、上記生理学的特性を検知する段階は、上記２個の電極間に電圧を印加して上記頭皮を通り生成された電流を測定する段階を含む。
【００３０】
幾つかの実施例において上記方法は、上記生理学的特性に応じて上記対象者のストレスのレベルを計算する段階を含む。
【００３１】
更なる実施例において上記方法は、上記生理学的特性を表す信号を上記生理学的監視デバイスから外部受信デバイスへと送信する段階を含む。上記送信は、通信ネットワークを介して監視センターに対して行われ得る。
【００３２】
更なる開示実施例において上記方法は、上記イヤホン・スピーカから、音楽および作業関連通信の少なくとも一方を再生する段階を含む。
【００３３】
本発明は、図面と組み合わされた本発明の実施例に関する以下の詳細な説明から更に十分に理解されよう。
【発明を実施するための最良の形態】
【００３４】
以下に記述される本発明の実施例においては、耳の背後の頭皮上である箇所から一種類以上の生理学的パラメータが測定される。
【００３５】
図１は、対象者１４の耳１２の背後に嵌合すべく形状化された本発明の実施例に係る監視デバイス１０の概略図である。上記デバイスは、頭皮と、耳翼、すなわち外耳の軟骨質部分との間に嵌合する。監視デバイス１０は、好都合かつ快適で目立たない様式にて生理学的パラメータを検知するために、業界公知の掛止イヤホンの様式で耳１２の背後に嵌合する。
【００３６】
監視デバイス１０に含まれるセンサは、耳１２の背後における対象者１４の頭皮上の箇所、もしくは、耳翼の背部上の箇所のいずれか、または、その両方に接触する。上記箇所は、後耳介動脈の後頭枝の如き、皮膚下の動脈上に重なるべく選択される。
【００３７】
監視デバイス１０は以下において更に記述される一個以上の光学的プレチスモグラフ（ＰＰＧ）センサを備え、該センサは耳の背後の箇所にて酸素測定を行うべく使用される。付加的にまたは代替的に、監視デバイス１０に含まれると共に以下において更に記述されるＧＳＲセンサにより耳の背後において電気皮膚反応（ＧＳＲ）測定が行われ得る。
【００３８】
監視デバイス１０はまたイヤホン・スピーカ１６も備え、該スピーカは、上記監視デバイスから耳の前方における耳孔まで延在することで、対象者１４は、監視済みパラメータの表示、ならびに、音楽もしくは作業関連通信の如き聴覚的ストリームを受信し得る。監視デバイス１０は、対象者１４が作業または余暇活動の如き通常的な日常活動を行う間に使用され得る。これらの活動がイヤホンの使用を必要とする場合、監視デバイス１０は特に目立たない。たとえばデバイス１０は、顧客電話窓口における顧客サービス担当者（ＣＳＲ）により使用されるヘッドセット装置の一部とされ得る。
【００３９】
図２は、本発明の実施例に係る監視デバイス１０の概略的側面図である。該監視デバイスは、耳１２と頭皮との間に嵌合する三日月形状ハウジング１１を備える。例示のために図２は、各センサが固着されるハウジング１１の前面を示している。不図示のハウジング１１の背面は、上記前面の設計態様を鏡映すると共に、同様に固着されたセンサを備え得る。結果として、ハウジング１１は対象者１４の左耳または右耳のいずれかの背後に載置され得る。選択された耳に依存し、ハウジング１１の一側面は頭皮と接触し、他側面は耳翼と接触する。代替的にデバイス１０は、一側面上にのみにおける単一もしくは複数のセンサを以て作成され得る。
【００４０】
以下に続く記述における例示のために、図２に示された前面が対象者の頭皮に接触するものとする。ＰＰＧセンサ１８は、該センサが頭皮に対して接触する如き様式で上記前面に対して固着される。センサ１８は、ＬＥＤ１９の如き一個以上の光源を備えると共に、光検出器２０を更に備える。上記デバイスのハウジングは不透明であることから、周囲光が上記箇所に到達し、ＬＥＤ１９により生成された光と干渉することが阻止される。ＬＥＤ１９により生成された光は、後耳介動脈の後頭枝における血液流の如き、頭皮の下側の動脈血から反射された後、検出器２０により検知される。この動脈は例示的にのみ言及されると共に、ＰＰＧ測定に対しては耳の背後における別の動脈も使用され得ることは理解される。
【００４１】
動脈血から反射された光を表す信号は、検出器２０から制御ユニット２２へと送信される。
【００４２】
制御ユニット２２は、経時的な対象者の心拍数ならびに動脈血のＳｐＯ2変動を決定するために、受信信号を処理する。受信信号に基づいて制御ユニット２２は、たとえば、言及したことにより本明細書中に援用されるという救急医療ジャーナル（Emergency Medicine Journal）第２０巻、第５２４〜５２５頁（2003年）の“標準的なパルス酸素濃度計は呼吸速度を監視するために使用され得る”においてレオナルド等（Leonard et al.）により記述された如く、対象者の呼吸速度も決定し得る。制御ユニット２２は、心拍数、呼吸速度、または、ＳｐＯ2レベルなどの、決定された生理学的パラメータの内の一種類以上のパラメータの聴覚的表示をスピーカ１６により対象者１４に対して提供し得る。上記表示はたとえば、監視されたパラメータの値が所定範囲外である場合には、合成音声信号または警報の形態とされ得る。代替的または付加的に上記制御ユニットは、決定された生理学的パラメータの内の一種類以上のパラメータを表す信号を、以下に記述される外部受信器（図３）に対して送信する。上記信号を送信するために制御ユニット２２は、Bluetooth（登録商標）無線プロトコルにより、または、業界公知の他の任意の無線または有線手段により送信を行い得る送信器２４を利用し得る。ＬＥＤ１９、検出器２０、制御ユニット２２および送信器２４に対する電力は、バッテリ２６により提供される。制御ユニット２２およびバッテリ２６は典型的に、監視デバイス１０の上記ハウジング内に含まれることから、図示内容においては上記デバイスの破断部分内に示される。
【００４３】
付加的または代替的に、皮膚に接触するためにハウジング１１の一側面もしくは両側面に対しては、第１電極２８および第２電極３０を備えるＧＳＲセンサも固着される。夫々の電極２８および３０はたとえば導電ポリマから作成されることで、上記監視デバイスが耳の背後に載置されたときに頭皮との良好な電気的接触を提供し得る。制御ユニット２２は、電極２８および３０間の皮膚コンダクタンスを測定するために、該電極間に電流を通す。上述した心拍数およびＳｐＯ2の測定の場合と同様に制御ユニット２２は、ストレスおよび／または活動のレベルを決定するために上記ＧＳＲセンサ信号を処理し得ると共に、該レベルの聴覚的表示を、スピーカ１６を介して対象者に与え得る。代替的または付加的に上記制御ユニットは、皮膚コンダクタンスを表す信号を以下に記述される外部受信器（図３）に対して送信する。上記信号を送信するために、制御ユニット２２は送信器２４を利用し得る。
【００４４】
本発明の幾つかの実施例において、上述されたＰＰＧおよびＧＳＲ測定は、頭皮上で行われる測定の代わりにもしくはそれに加え、ハウジング１１の不図示の背面上のセンサにより耳１２の耳翼の背部にて行われ得る。頭皮と耳翼の背部との両方における生理学的パラメータの測定は、上記ハウジングの前面および背面の各々上における夫々のセンサにより同時に行われ得る。上記ハウジング内における制御ユニット２２の如き回路機構は、頭皮箇所および耳箇所のいずれの方が更に良好な信号／ノイズ比（ＳＮＲ）を提供するかを決定すべく構成され得る。更に良好なＳＮＲを以て上記箇所にて測定されたパラメータは次に、以下に記述される如く更なる処理および送信のために選択され得る。代替的に、測定値は平均され得るか、または、他の選択判定基準が適用され得る。
【００４５】
図３は、生理学的パラメータを監視する本発明の実施例に係るシステムの概略図である。対象者１４は自身の耳の背後の所定位置にデバイス１０を有し乍ら、自身の作業もしくは余暇に関する活動などの通常の日常的活動を行い得る。
【００４６】
監視デバイス１０から送信されたＰＰＧおよび皮膚コンダクタンスのデータは、対象者のストレスのレベル、および、そのレベルにおける変化を決定すべく使用され得る。ストレスの指標は、たとえば、増加した心拍数、増大した呼吸速度、および、増大した皮膚コンダクタンスである。ストレス・レベルを報告するために監視デバイス１０は、携帯電話またはパーソナルコンピュータ（ＰＣ）３２の如き受信デバイスに対して生理学的データを送信し得る。ＰＣ３２は、送信器２４により送信された信号を無線または有線手段により受信すべく構成される。Bluetooth（登録商標）送信の如き無線手段が利用されるとき、ＰＣ３２は斯かる送信をアンテナ３８により受信し得る。上記ＰＣは、イヤホン・スピーカ１６を介して再生されるべき聴覚的信号を戻しても良い。
【００４７】
生理学的パラメータからのストレス・レベルの計算は、デバイス１０またはＰＣ３２により決定され得る。上記ＰＣは、上記対象者に対してストレス・レベルを表示すべく構成され得る。代替的または付加的に、ＰＣ３２、または、携帯電話の如き別の受信デバイスは、生理学的パラメータを、データ・ネットワーク３４を介し、たとえば保健医療提供者により又は対象者の雇用主により維持され得る監視センター３６へと送信すべく構成され得る。上記監視センターは、ストレスのレベルの変化または他の生理学的な指標の変化が介入を当然とするなら、対象者、および、該対象者の医師もしくは作業管理者の如き他の関係者に対して自動的に通知を行うべくプログラムされ得る。
【００４８】
上述の各実施例は特に心拍数、ＳｐＯ2、呼吸速度および皮膚コンダクタンスの測定に関するが、本発明の原理は対象者の健康またはストレスを表す他の形式の測定値に対しても適用され得る。更に、これらの実施例は一定の種類の実生活場面および信号通知方法に対して言及しているが、本発明の原理は他の環境および他の通信技術に関連して同様に適用され得る。
【００４９】
故に、上述の各実施例は例示的にのみ言及される共に、本発明は上記において特に図示かつ説明された処に限定されないことは理解される。寧ろ本発明の有効範囲は、上述の種々の特徴の組み合わせおよび下位組み合わせの両方、ならびに、それらの変更例および改変例であって上記記述の読破時に当業者が想起すると共に先行技術においては開示されていない変更例および改変例を包含する。
【図面の簡単な説明】
【００５０】
【図１】図１は、耳の背後に位置された本発明の実施例に係る監視デバイスの概略図である。
【図２】図２は、本発明の実施例に係る図１の監視デバイスの概略的側面図である。
【図３】図３は、生理学的パラメータを監視する本発明の実施例に係るシステムの概略図である。
【図１】
2009502298.tif 000003
【図２】
2009502298.tif 000004
【図３】
2009502298.tif 000005
【国際調査報告】
2009502298.tif 000006